(57)【要約】【課題】  泥付着防止部材をサイドカバーに兼用し、構造の簡略化やコストダウンを図ると共に、泥付着防止部材を、内側からの荷重に強く、変形しにくいもにする。【解決手段】  左右方向を向いて軸支されるロータリ耕耘軸１０と、該ロータリ耕耘軸１０の上方及び側方を覆うメインカバー１２と、該メインカバー１２の後端部に上下揺動自在に設けられるリヤカバー１４とを備えるロータリ耕耘装置１において、本発明のサイドカバー（泥付着防止部材）２５は、メインカバー１２の側板１２ｂに着脱自在に設けられ、リヤカバー１４の側方を覆う。さらに、サイドカバー２５は、泥付着防止機能を有すると共に、側板１２ｂの内側面全域を覆うように取付けられる。【選択図】        図４
2006006162.tif 000002
【特許請求の範囲】
【請求項１】
左右方向を向いて軸支されるロータリ耕耘軸と、該ロータリ耕耘軸の上方及び側方を覆うメインカバーと、該メインカバーの後端部に上下揺動自在に設けられるリヤカバーとを備えるロータリ耕耘装置において、前記メインカバーは、前記ロータリ耕耘軸の上方を覆う天板と、該天板の左右両端部から下方に垂下して前記ロータリ耕耘軸の側方を覆う側板とを備えて構成され、前記側板には、その内側面の略全域を覆い、かつ、後方に延出して前記リヤカバーの側方を覆う泥付着防止部材が着脱自在に装着されることを特徴とするロータリ耕耘装置。
【請求項２】
前記泥付着防止部材は、ステンレス板で形成されることを特徴とする請求項１記載のロータリ耕耘装置。
【発明の詳細な説明】
【技術分野】
【０００１】
本発明は、トラクタなどに装着されるロータリ耕耘装置に関する。
【背景技術】
【０００２】
この種のロータリ耕耘装置は、左右方向を向いて軸支されるロータリ耕耘軸と、該ロータリ耕耘軸の上方及び側方を覆うメインカバーと、該メインカバーの後端部に上下揺動自在に設けられるリヤカバー（均平板）とを備えており、また、メインカバーは、ロータリ耕耘軸の上方を覆う天板と、該天板の左右両端部から下方に垂下してロータリ耕耘軸の側方を覆う側板とを備えて構成されている。
【０００３】
通常、メインカバーの側板とリヤカバーの間には隙間があり、ここから耕耘土が飛散する可能性がある。これを防止する方法としては、特許文献１に示すように、メインカバーの側板を後方に延長する方法や、図５に示すように、メインカバーの側板に、着脱自在なサイドカバーを装着する方法が知られているが、前者では、後方に延出した側板がアタッチメントの装着を阻害する可能性があるため、近年では後者が広く採用されている。
【特許文献１】実開昭４９−１４４７１３号公報
【発明の開示】
【発明が解決しようとする課題】
【０００４】
しかしながら、従来のサイドカバーは、その前端部を側板の後端部に重ね合わせた状態で側板に固定されるため、側板との間に継ぎ目ができて、泥が付着し易くなるという問題がある。また、従来のサイドカバーは、側板の外側から固定されているため、内側からの力に弱く、土圧によって変形する可能性があった。尚、サイドカバーを側板の内側から固定することが考えられるが、側板の内側には、通常、樹脂板やステンレス板からなる泥付着防止部材が設けられているため、適用が困難であった。
【課題を解決するための手段】
【０００５】
本発明は、上記の如き実情に鑑みこれらの課題を解決することを目的として創作されたものであって、左右方向を向いて軸支されるロータリ耕耘軸と、該ロータリ耕耘軸の上方及び側方を覆うメインカバーと、該メインカバーの後端部に上下揺動自在に設けられるリヤカバーとを備えるロータリ耕耘装置において、前記メインカバーは、前記ロータリ耕耘軸の上方を覆う天板と、該天板の左右両端部から下方に垂下して前記ロータリ耕耘軸の側方を覆う側板とを備えて構成され、前記側板には、その内側面の略全域を覆い、かつ、後方に延出して前記リヤカバーの側方を覆う泥付着防止部材が着脱自在に装着されることを特徴とする。このように構成すれば、泥付着防止部材をサイドカバーに兼用し、構造の簡略化やコストダウンを図ることができる。しかも、泥付着防止部材は、側板の内側面略全域に固定されるため、内側からの荷重に強く、変形しにくいものとなる。
また、前記泥付着防止部材は、ステンレス板で形成されることを特徴とする。このように構成すれば、良好な泥付着防止性能を有し、かつ、サイドカバーとしての必要強度を備えた泥付着防止部材が得られる。
【発明を実施するための最良の形態】
【０００６】
次に、本発明の実施形態について、図面に基づいて説明する。図１〜図４において、１はロータリ耕耘装置であって、該ロータリ耕耘装置１は、走行機体２（トラクタなど）の後部に対し、三点リンク機構３及びオートヒッチ４を介して連結され、走行機体２から供給される動力で動作することにより、耕耘作業を行う。
【０００７】
本実施形態のロータリ耕耘装置１は、トップマスト５の下部に設けられるギヤケース６と、ギヤケース６から左右両側方に延出するパイプフレーム７と、一方のパイプフレーム７の外端部に一体的に設けられるチェンケース８と、他方のパイプフレーム７の外端部に一体的に設けられるサイドプレート９と、チェンケース８とサイドプレート９の間に回転自在に軸支されるロータリ耕耘軸１０と、ロータリ耕耘軸１０に装着される多数の耕耘爪１１と、ロータリ耕耘軸１０（耕耘爪１１）の上方及び側方を覆うメインカバー１２と、メインカバー１２の後端部にミッドカバー１３を介して設けられるリヤカバー１４とを備えて構成されている。
【０００８】
ギヤケース６は、ジョイント軸１５を介して、走行機体２のＰＴＯ軸１６から動力を入力する。ギヤケース６に入力された動力は、ベベルギヤ機構１７によって方向変換されると共に、一方のパイプフレーム７に内装された伝動軸１８を介してチェンケース８に伝動される。チェンケース８は、伝動軸１８から入力した動力を、チェン伝動機構１９を介してロータリ耕耘軸１０に伝動し、ロータリ耕耘軸１０を所定方向に回転駆動させる。
【０００９】
メインカバー１２は、ロータリ耕耘軸１０の上方を覆う側面視円弧状の天板１２ａと、該天板１２ａの左右両端部から下方に垂下してロータリ耕耘軸１０の側方を覆う平板状の側板１２ｂとを備えて構成されている。左右の側板１２ｂは、それぞれチェンケース８とサイドプレート９に対して回動自在に支持されており、メインカバー１２全体がロータリ耕耘軸１０を中心として前後に回動できるようになっている。
【００１０】
ミッドカバー１３は、リヤカバー１４を上下回動自在に支持すると共に、加圧ロッド２０を介して吊持している。リヤカバー１４は、耕耘爪１１が耕耘した耕耘土を均平しつつ耕深に応じて上下に変位する。リヤカバー１４の上下変位は、耕深センサ２１によって検出され、耕深自動制御などに利用される。また、ミッドカバー１３は、ロッド２２を介してトップマスト５に連結されている。トップマスト５には、ロッド２２の上端部を上下動自在に支持する長孔５ａが形成されると共に、ロッド２２の上端位置を調整するカバー位置調整レバー２３が設けられている。カバー位置調整レバー２３を操作すると、ロッド２２の上下動に応じて、メインカバー１２、ミッドカバー１３及びリヤカバー１４が、ロータリ耕耘軸１０を中心として一体的に移動する。これにより、耕深などに応じてカバー類１２〜１４の位置調整を行うことが可能になる。
【００１１】
また、パイプフレーム７には、後方に延出するツールバー２４が設けられている。ツールバー２４は、各種のアタッチメントを装着するためのもので、例えば、作業の種類に応じて、尾輪、畝立器、培土器などのアタッチメントを選択的に装着することができる。アタッチメントは、大きさや装着位置が様々であり、例えば、リヤカバー１４を跳ね上げた状態でメインカバー１２（ロータリ耕耘軸１０）の後方近傍に装着されるアタッチメントもある。
【００１２】
次に、本発明の要部であるサイドカバー（泥付着防止部材）２５について説明する。サイドカバー２５は、メインカバー１２の側板１２ｂとリヤカバー１４の間にある隙間を覆うために設けられるもので、メインカバー１２の側板１２ｂに着脱自在に取付けられる。従来のサイドカバーは、その前端部を側板１２ｂの後端部に外側から重ね合わせた状態で固定されるが、本発明のサイドカバー２５は、側板１２ｂの内側面全域を覆うように形成され、ボルト２６やナット２６ａを用いて側板１２ｂに取付けられる。このようにすると、サイドカバー２５が側板１２ｂの内側面全域に固定され、内側からの荷重に強く、かつ、変形しにくいものになる。しかも、本発明のサイドカバー２５によれば、側板１２ｂの内側面に段差や継ぎ目を形成しないため、泥の付着を助長することもない。
【００１３】
さらに、本発明のサイドカバー２５は、泥が付着しにくい素材を用いて形成される。例えば、ステンレス板や樹脂板を用いることができるが、強度的には、ステンレス板が好ましい。このようにすると、サイドカバー２５を泥付着防止部材に兼用して、部品点数の削減、構造の簡略化及びコストダウンが図れ、また、サイドカバー２５をステンレス板にすれば、良好な泥付着防止性能を発揮しつつ、サイドカバー２５としての必要強度を確保できる。
【００１４】
叙述の如く構成された本実施形態のサイドカバー２５は、左右方向を向いて軸支されるロータリ耕耘軸１０と、該ロータリ耕耘軸１０の上方及び側方を覆うメインカバー１２と、該メインカバー１２の後端部に上下揺動自在に設けられるリヤカバー１４とを備えるロータリ耕耘装置１において、メインカバー１２の側板１２ｂに着脱自在に設けられ、リヤカバー１４の側方を覆うものであるが、泥付着防止機能を有すると共に、側板１２ｂの内側面全域を覆うように取付けられるので、サイドカバー２５を泥付着防止部材に兼用して、構造の簡略化やコストダウンが図れる。また、サイドカバー２５は、側板１２ｂの内側面全域に対して固定されるので、内側からの荷重に強く、変形しにくいものとなる。また、本実施形態のサイドカバー２５は、ステンレス板で形成されるため、サイドカバー２５としての必要強度を確保しつつ、良好な泥付着防止性能を発揮できる。
【図面の簡単な説明】
【００１５】
【図１】ロータリ耕耘装置の側面図である。
【図２】ロータリ耕耘装置の部分平面図である。
【図３】ロータリ耕耘装置の展開断面図である。
【図４】ロータリ耕耘装置の斜視図である。
【符号の説明】
【００１６】
１      ロータリ耕耘装置
２      走行機体
１０    ロータリ耕耘軸
１１    耕耘爪
１２    メインカバー
１２ａ  天板
１２ｂ  側板
１３    ミッドカバー
１４    リヤカバー
２５    サイドカバー
【図１】
2006006162.tif 000003
【図２】
2006006162.tif 000004
【図３】
2006006162.tif 000005
【図４】
2006006162.tif 000006